(57)【要約】【課題】可燃性冷媒を使用した冷蔵庫の照明装置に関し、安全性、信頼性、庫内灯ランプ交換時の作業性を高めた冷蔵庫を提供する。【解決手段】端子型ランプ４４を支持するホルダー５０には上部ガイドフランジ５７と下部ガイドフランジ５８を設け、前記上部ガイドフランジ５７と下部ガイドフランジ５８を挿入する上部ガイドリブ５９と下部ガイドリブ６０を冷蔵室２６の庫内天面に配置する冷蔵室内冷却用天面ダクト４３に一体に設けているので、端子型ランプ４４を庫内天面に配置する冷蔵室内冷却用天面ダクト４３にスムーズに組み込むことができ、組立作業性が向上する。【選択図】　図５
2004125217.tif 000002
【特許請求の範囲】
【請求項１】
冷凍サイクルに可燃性冷媒を用い、庫内天面に照明装置を有する冷蔵庫において、前記照明装置は庫内灯ランプとソケットを一体化し、リード線との接続部をピン差込方式とした端子型ランプとし、前記端子型ランプを支持するホルダーにガイドフランジを設け、前記ガイドフランジを挿入するガイドリブを庫内天面に設けた冷蔵庫。
【請求項２】
端子型ランプを支持するホルダーに設けるガイドフランジと庫内天面に設けるガイドリブを冷蔵庫の前後奥行方向に設けた請求項１に記載の冷蔵庫。
【請求項３】
庫内天面に設けるガイドリブを庫内冷却用天面ダクトに一体に設けた請求項１または２に記載の冷蔵庫。
【請求項４】
庫内冷却用天面ダクトにリード線を通すための穴とリード線を上下方向に規制する押えリブを設け、端子型ランプとリード線の接続部は前記押えリブより上方に位置する請求項３に記載の冷蔵庫。
【請求項５】
庫内天面に設けるガイドリブの前面に案内フランジを設けた請求項１から請求項４のいずれか一項に記載の冷蔵庫。
【請求項６】
端子型ランプを支持するホルダーのガイドフランジが挿入されるガイドリブの前部左右に面取りを施した請求項１から請求項５のいずれか一項に記載の冷蔵庫。
【請求項７】
端子型ランプを支持するホルダーに上方を開口したＵ字状フランジを設け、前記端子型ランプを前記ホルダーの上方から前記Ｕ字状フランジに挿入、固定した請求項１または２に記載の冷蔵庫。
【請求項８】
Ｕ字状フランジ上部に係止ツメを設け、端子型ランプ挿入後に上方に外れないようにするとともに、ホルダーを取り外し可能に前記係止ツメと一体に着脱用フランジを設けた請求項７に記載の冷蔵庫。
【請求項９】
端子型ランプを支持するホルダーに固定用ツメを設け、前記固定用ツメで庫内天面に係止させるとともに、前記固定用ツメの係止を着脱自在に動作させるための着脱用取っ手を前記固定用ツメと一体に設けた請求項１から請求項８のいずれか一項に記載の冷蔵庫。
【請求項１０】
着脱用取っ手の上下方向に滑り止めリブを設けた請求項９に記載の冷蔵庫。
【請求項１１】
端子型ランプを支持するホルダーに設けるガイドフランジの先端に面取りを施した請求項１から請求項１０のいずれか一項に記載の冷蔵庫。
【発明の詳細な説明】
【０００１】
【発明の属する技術分野】
本発明は、可燃性冷媒を使用した冷蔵庫の照明装置に関するものである。
【０００２】
【従来の技術】
従来の冷蔵庫の照明装置は庫内灯を取付装置に回転させながら固定するものが一般的に用いられている。（例えば、特許文献１参照）
以下、図面を参照しながら上記従来の冷蔵庫を説明する。
【０００３】
図７は、従来の冷蔵庫の照明装置の要部拡大断面図である。
【０００４】
図７において、１は冷蔵庫の庫内で、断熱壁２で区画形成されている。３は庫内灯で、ソケット本体４の取付穴５の端子部６，７に、庫内灯３の口金３ａを螺合し固定されるものである。８、９はコネクタ１０と結合する端子部で、コネクタ１０はリード線１１に接続されている。
【０００５】
以上のような構成により、製造時の部品取り付けや冷蔵庫設置後の部品交換時は、庫内灯３の口金３ａを回転させながらソケット本体４に取付けるものである。
【０００６】
【特許文献１】
特開平６−１４７７４８号公報
【０００７】
【発明が解決しようとする課題】
ところで、冷蔵庫の冷媒には、安全性の面からＲ１３４ａなどの不燃性冷媒が用いられているが、近年は、地球温暖化防止という観点から地球温暖化係数（ＧＷＰ）の低い炭化水素系冷媒が注目されている。
【０００８】
冷凍サイクルに可燃性冷媒を用いた場合、上記従来の構成では、庫内灯３とソケット本体４が螺合し固定されるものであるため、使用時に螺合部が緩み、端子部６，７と庫内灯３の口金３ａの接点が不完全となり、庫内灯３点灯時にスパークが発生し、万が一可燃性冷媒が庫内に漏れていた場合、不安全になる危険性が生じる。
【０００９】
本発明は上記の課題を解決するもので、可燃性冷媒を使用した冷蔵庫の安全性向上を図る冷蔵庫を提供することを目的とする。
【００１０】
また、冷蔵室の天面に庫内灯を設けた場合、固定が確実に行なわれないと、ランプが外れランプカバーに当たり不安全な状態が生じる可能性があるという欠点があった。
【００１１】
本発明の他の目的は、冷蔵室の天面に庫内灯を設けた場合の安全性、信頼性を高める冷蔵庫を提供することを目的とする。また、庫内灯ランプ交換時の作業性を高めた冷蔵庫を提供することを目的とする。
【００１２】
【課題を解決するための手段】
本発明の請求項１に記載の発明は、冷凍サイクルに可燃性冷媒を用い、庫内天面に照明装置を有する冷蔵庫において、前記照明装置は庫内灯ランプとソケットを一体化し、リード線との接続部をピン差込方式とした端子型ランプとし、前記端子型ランプを支持するホルダーにガイドフランジを設け、前記ガイドフランジを挿入するガイドリブを庫内天面に設けたものであり、照明装置として端子型ランプを庫内天面に設けることで、接点にスパークが生じず可燃性冷媒を用いた場合の安全性を高めることができる。また、ガイドフランジとガイドリブを設けることで、端子型ランプを庫内天面にスムーズに組み込むことができる。
【００１３】
請求項２に記載の発明は、請求項１に記載の発明において、端子型ランプを支持するホルダーに設けるガイドフランジと庫内天面に設けるガイドリブを冷蔵庫の前後奥行方向に設けたものであり、水平方向に取付けることにより端子型ランプが鉛直方向へずれたり、落下を防止できる。
【００１４】
請求項３に記載の発明は、請求項１または２に記載の発明において、庫内天面に設けるガイドリブを庫内冷却用天面ダクトに一体に設けたものであり、部品点数の低減、作業性の向上、庫内天面構造の簡素化を図れる。
【００１５】
請求項４に記載の発明は、請求項３に記載の発明において、庫内冷却用天面ダクトにリード線を通すための穴とリード線を上下方向に規制する押えリブを設け、端子型ランプとリード線の接続部は前記押えリブより上方に位置するものであり、リード線に付着した水滴はリード線を通すための穴部近傍で水切りされ、端子型ランプとリード線の接続部へ水滴は達せず、信頼性が高まる。
【００１６】
請求項５に記載の発明は、請求項１から請求項４のいずれか一項に記載の発明において、庫内天面に設けるガイドリブの前面に案内フランジを設けたものであり、端子型ランプの取付時、あるいは交換時、ガイドフランジの上下方向の挿入ばらつきが生じても案内フランジにより適正な位置に導かれ、取付作業が容易となる。
【００１７】
請求項６に記載の発明は、請求項１から請求項５のいずれか一項に記載の発明において、端子型ランプを支持するホルダーのガイドフランジが挿入されるガイドリブの前部左右に面取りを施したものであり、端子型ランプの取付時、あるいは交換時、ガイドフランジの左右方向の挿入ばらつきが生じてもガイドリブの前部左右に設けた面取りにより適正な位置に導かれ、取付作業が容易となる。
【００１８】
請求項７に記載の発明は、請求項１または２に記載の発明において、端子型ランプを支持するホルダーに上方を開口したＵ字状フランジを設け、前記端子型ランプを前記ホルダーの上方から前記Ｕ字状フランジに挿入、固定したものであり、端子型ランプが庫内天面に取付られた状態で端子型ランプがホルダーから外れ、下方に落下することがない。
【００１９】
請求項８に記載の発明は、請求項７に記載の発明において、Ｕ字状フランジ上部に係止ツメを設け、端子型ランプ挿入後に上方に外れないようにするとともに、ホルダーを取り外し可能に前記係止ツメと一体に着脱用フランジを設けたものであり、端子型ランプ交換のためホルダーから外す際、着脱用フランジを手で押すことで端子型ランプが係止ツメから解除され、端子型ランプの交換作業が容易にできる。
【００２０】
請求項９に記載の発明は、請求項１から請求項８のいずれか一項に記載の発明において、端子型ランプを支持するホルダーに固定用ツメを設け、前記固定用ツメで庫内天面に係止させるとともに、前記固定用ツメの係止を着脱自在に動作させるための着脱用取っ手を前記固定用ツメと一体に設けたものであり、端子型ランプ交換のためホルダーを庫内天面ガイドリブから外す際、着脱用取っ手を手で押すことでホルダーの固定用ツメがガイドリブから解除され、端子型ランプの交換作業が容易にできる。
【００２１】
請求項１０に記載の発明は、請求項９に記載の発明において、着脱用取っ手の上下方向に滑り止めリブを設けたものであり、着脱用取っ手をつかむ際、手元がすべることなく固定用ツメの解除動作が確実に容易にできる。
【００２２】
請求項１１に記載の発明は、請求項１から請求項１０のいずれか一項に記載の発明において、端子型ランプを支持するホルダーに設けるガイドフランジの先端に面取りを施したものであり、端子型ランプの取付時、あるいは交換時、ガイドフランジの挿入ばらつきが生じてもガイドフランジの先端に設けた面取りにより適正な位置に導かれ、取付作業が容易となる。
【００２３】
【発明の実施の形態】
以下、本発明による冷蔵庫の実施の形態について、図面を参照しながら説明する。
【００２４】
（実施の形態１）
図１は、本発明の実施の形態１による冷蔵庫の側面断面図、図２は、図１のＡ部拡大図、図３は、同実施の形態の冷蔵庫の端子型ランプの斜視図、図４は、図３のＢ−Ｂ断面図、図５は、同実施の形態の冷蔵庫の端子型ランプの組立分解図、図６は、同実施の形態の冷蔵庫の庫内冷却用天面ダクトを裏から見た正面図である。
【００２５】
図１において、２１は冷蔵庫本体で、鋼板で形成した外箱２２と樹脂で成形した内箱２３の内部に樹脂発泡したウレタンフォーム２４で断熱箱体を形成し前面を開口している。そして断熱仕切壁２５により上部貯蔵室と下部貯蔵室に区画している。上部貯蔵室の上方には冷蔵室２６、上部貯蔵室の下方には仕切板２７を介して野菜室２８を有する。また、下部貯蔵室は断熱仕切壁３０を介して上下に区画し、上方には切替室２９と製氷室（図示せず）、下部貯蔵室の下方には冷凍室３１を有している。また冷蔵庫本体２１の下部後方には機械室を有し内部に圧縮機（図示せず）を配置している。
【００２６】
また、冷蔵室扉３２は冷蔵室２６の前面開口部に位置し、一端を支点として回動するヒンジ式の扉である。３３、３４、３５、はそれぞれ、野菜室２８、切替室２９、冷凍室３１の前方開口部に位置する引出し式の扉である。
【００２７】
冷却ダクト３６は冷蔵室２６の背面の上下方向に形成し、内箱２３とダクトカバー３７とにより構成される。そして、冷却ダクト３６の上方には冷蔵室用冷却器３８、さらにその上部には冷蔵室用ファン３９を有している。また、冷蔵室用冷却器３８の前面には発泡断熱樹脂からなるインスダクトカバー４０を設けている。冷凍室用冷却器４１は冷凍室３１の背面に設けられ、冷凍室用冷却器４１の上部には冷凍室用ファン４２を配置している。また、冷蔵室内冷却用天面ダクト４３は前面に吐出口を有し冷蔵室２６の天面に配置され、ダクトカバー３７の上部で接続されている。
【００２８】
図２において、照明装置としての端子型ランプ４４は冷蔵室２６の天面に配置し、端子型ランプ４４を覆うように透光性の照明カバー４５を設けている。また、端子型ランプ４４本体は、図３、図４に示すように、ソケット４６と庫内灯ランプ４７を係止爪などで嵌合させて一体化して組み立てられており、ソケット４６のピン４８の差込側に向かって、ピン４８接続部を覆うように周縁部にピン４８の高さと略同一のカバー部４９を設けている。
【００２９】
また、図５に示すように、端子型ランプ４４を支持するホルダー５０には上方を開口したＵ字状フランジ５１を設け、前記端子型ランプ４４を前記ホルダー５０の上方から前記Ｕ字状フランジ５１に挿入、固定する。
【００３０】
また、Ｕ字状フランジ５１の上部に係止ツメ５２を設け、端子型ランプ４４挿入後にカバー部４９の端面周縁部に形成するツバ４９ａと前記係止ツメ５２が係合され、上方に外れないようにするとともに、ホルダー５０を前記係止ツメ５２から取り外し可能に前記係止ツメ５２と一体に着脱用フランジ５３を設けている。
【００３１】
また、端子型ランプ４４を支持するホルダー５０の両側面に固定用ツメ５４を設け、前記固定用ツメ５４で冷蔵室２６の庫内天面に係止させるとともに、前記固定用ツメ５４の係止を着脱自在に動作させるための着脱用取っ手５５を前記固定用ツメ５４と一体に設けている。
【００３２】
また、着脱用取っ手５５の上下方向に滑り止めリブ５６を一体に設けている。
【００３３】
また、端子型ランプ４４を支持するホルダー５０には上部ガイドフランジ５７と下部ガイドフランジ５８を設け、前記上部ガイドフランジ５７と下部ガイドフランジ５８を挿入する上部ガイドリブ５９と下部ガイドリブ６０を冷蔵室２６の庫内天面に配置する冷蔵室内冷却用天面ダクト４３に一体に設けている。
【００３４】
また、端子型ランプ４４を支持するホルダー５０に設けた前記上部ガイドフランジ５７と下部ガイドフランジ５８の先端には面取りを施している。
【００３５】
また、端子型ランプ４４を支持するホルダー５０に設ける上部ガイドフランジ５７および下部ガイドフランジ５８と、冷蔵室内冷却用天面ダクト４３に一体に設ける上部ガイドリブ５９および下部ガイドリブ６０は、冷蔵庫２１の前後奥行水平方向にスライドするように設けている。
【００３６】
また、冷蔵室内冷却用天面ダクト４３にはリード線６１を通すための穴６２とリード線６１を上下方向に規制する押えリブ６３を設け、端子型ランプ４４とリード線６１の先端のコネクタ６４と端子型ランプ４４のピン４８との接続部は前記押えリブ６３より上方に位置している。
【００３７】
また、冷蔵室内冷却用天面ダクト４３に一体に設ける上部ガイドリブ５９および下部ガイドリブ６０の前面には案内フランジ６５を設けている。
【００３８】
また、冷蔵室内冷却用天面ダクト４３に一体に設けた上部ガイドリブ５９および下部ガイドリブ６０の前部左右には面取りを施している。
【００３９】
また、図６に示すように、冷蔵室内冷却用天面ダクト４３の照明装置取付部６６には切欠き部６７を有し、照明装置取付部６６を挟んで両側面には冷気通風路６８を有している。
【００４０】
また、冷蔵室扉３２の開閉動作を検知して照明装置としての端子型ランプ４４の点灯、消灯を制御する扉スイッチ６８を有し、扉スイッチ６８はホールＩＣなどの無接点リレーであり仕切板２７の前面に埋め込まれている。また、冷蔵室扉３２の下部には、扉スイッチ６９に対向してマグネット（図示せず）が組み込まれている。
【００４１】
また、冷蔵庫２１を冷却する冷凍サイクル内には可燃性冷媒である、たとえばイソブタンを冷媒として封入している。
【００４２】
上記構成において、図示しない圧縮機、凝縮器、減圧装置、および冷蔵室用冷却器３８、冷凍室用冷却器４１からなる冷凍サイクルの動作により、冷蔵室２６、野菜室２８、切替室２９、冷凍室３１は所定の温度に冷却される。冷蔵室２６においては、冷蔵室用冷却器３８で生成された冷気は冷蔵室用ファン３９から冷却ダクト３６を冷蔵室内冷却用天面ダクト４３から庫内に吐出され食品等を冷却する。
【００４３】
そして、使用者が食品を取り出すため冷蔵室扉２６を開とすると、扉スイッチ６８の動作により電源がリード線６１を介して端子型ランプ４４に供給され点灯する。
【００４４】
ここで、端子型ランプ４４は庫内灯ランプ４７とソケット４６を一体化し、リード線６１との接続部（ピン４８）をコネクタ６４を用いた差込方式としているので、庫内灯ランプ４７とリード線６１の接続部の緩みによる点灯時のスパークの発生を防止し、着火源をなくすことができ、冷凍サイクルに可燃性冷媒を用いた冷蔵庫において、万が一可燃性冷媒が庫内に漏洩した場合でも、不安全になることを防止することができる。
【００４５】
また、端子型ランプ４４の点灯制御を無接点リレーの扉スイッチ６８で行なうものであり、端子型ランプ４４の点灯制御時のスイッチからのスパークの発生源をなくすことができるので、冷凍サイクルに可燃性冷媒を用いた冷蔵庫において、万が一可燃性冷媒が庫内に漏洩した場合の安全性をさらに高めることができる。
【００４６】
また、端子型ランプ４４のソケット４６のピン差込側に、ピン接続部を覆うように周縁部にピン４８の高さと略同一のカバー部４９を設けているので、ピン接続部をカバー部４９で覆うことにより、接点への水かかりを防ぎ、トラッキング現象を防止することができる。したがって冷蔵庫２１本体の安全性を高めることができる。
【００４７】
また、端子型ランプ４４を支持するホルダー５０には上部ガイドフランジ５７と下部ガイドフランジ５８を設け、前記上部ガイドフランジ５７と下部ガイドフランジ５８を挿入する上部ガイドリブ５９と下部ガイドリブ６０を冷蔵室２６の庫内天面に配置する冷蔵室内冷却用天面ダクト４３に一体に設けているので、端子型ランプ４４を庫内天面に配置する冷蔵室内冷却用天面ダクト４３にスムーズに組み込むことができ、組立作業性が向上する。
【００４８】
また、端子型ランプ４４を支持するホルダー５０に設ける上部ガイドフランジ５７および下部ガイドフランジ５８と、冷蔵室内冷却用天面ダクト４３に一体に設ける上部ガイドリブ５９および下部ガイドリブ６０は、冷蔵庫２１の前後奥行水平方向にスライドするように設けているので、端子型ランプ４４が鉛直方向へずれたり、落下を防止でき、組立が確実に行なわれない場合でも、端子型ランプ４４が外れ照明カバー４５に当たり不安全な状態が生じることもない。
【００４９】
また、冷蔵室内冷却用天面ダクト４３に上部ガイドリブ５９と下部ガイドリブ６０を一体に設けているので、部品点数の低減、作業性の向上、庫内天面構造の簡素化を図ることができる。
【００５０】
また、冷蔵室内冷却用天面ダクト４３にはリード線６１を通すための穴６２とリード線６１を上下方向に規制する押えリブ６３を設け、端子型ランプ４４とリード線６１の先端のコネクタ６４と端子型ランプ４４のピン４８との接続部は前記押えリブ６３より上方に位置しているので、リード線６１に付着した水滴はリード線６１を通すための穴６２の近傍で水切りされ、端子型ランプ４とリード線６１の接続部へ水滴は達せず、安全性、信頼性が高まる。
【００５１】
また、冷蔵室内冷却用天面ダクト４３に一体に設ける上部ガイドリブ５９および下部ガイドリブ６０の前面には案内フランジ６５を設けているので、端子型ランプ４４の取付時、あるいは交換時、上部ガイドリブ５９および下部ガイドリブ６０の上下方向の挿入ばらつきが生じても案内フランジ６５により適正な位置に導かれ、取付作業が容易となる。
【００５２】
また、冷蔵室内冷却用天面ダクト４３に一体に設けた上部ガイドリブ５９および下部ガイドリブ６０の前部左右には面取りを施しているので、端子型ランプ４４の取付時、あるいは交換時、上部ガイドフランジ５７および下部ガイドフランジ５８の左右方向の挿入ばらつきが生じても上部ガイドリブ５９および下部ガイドリブ６０の前部左右に設けた面取りにより適正な位置に導かれ、取付作業が容易となる。
【００５３】
また、端子型ランプ４４を支持するホルダー５０には上方を開口したＵ字状フランジ５１を設け、前記端子型ランプ４４を前記ホルダー５０の上方から前記Ｕ字状フランジ５１に挿入、固定するので、端子型ランプ４４が庫内天面に取付られた状態で端子型ランプ４４がホルダー５０から外れ、下方に落下することがない。
【００５４】
また、Ｕ字状フランジ５１の上部に係止ツメ５２を設け、端子型ランプ４４挿入後にカバー部４９の端面周縁部に形成するツバ４９ａと前記係止ツメ５２が係合され、上方に外れないようにするとともに、ホルダー５０を前記係止ツメ５２から取り外し可能に前記係止ツメ５２と一体に着脱用フランジ５３を設けているので、端子型ランプ４４の交換のためにホルダー５０から外す際、着脱用フランジ５３を手で押すことで端子型ランプ４４が係止ツメ５２から解除され、端子型ランプ４４の交換作業が容易にできる。
【００５５】
また、端子型ランプ４４を支持するホルダー５０の両側面に固定用ツメ５４を設け、前記固定用ツメ５４で冷蔵室２６の庫内天面に係止させるとともに、前記固定用ツメ５４の係止を着脱自在に動作させるための着脱用取っ手５５を前記固定用ツメ５４と一体に設けているので、端子型ランプ４４の交換のためホルダー５０を庫内天面の上部ガイドリブ５９および下部ガイドリブ６０から外す際、着脱用取っ手５５を手で押すことでホルダー５０の固定用ツメ５４が上部ガイドリブ５９および下部ガイドリブ６０から解除され、端子型ランプ４４の交換作業が容易にできる。
【００５６】
また、着脱用取っ手５５の上下方向に滑り止めリブ５６を一体に設けているので、着脱用取っ手５５をつかむ際、手元がすべることなく固定用ツメ５４の解除動作が確実に容易にできる。
【００５７】
また、端子型ランプ４４を支持するホルダー５０に設けた上部ガイドフランジ５７と下部ガイドフランジ５８の先端には面取りを施しているので、端子型ランプ４４の取付時、あるいは交換時、上部ガイドフランジ５７と下部ガイドフランジ５８の挿入ばらつきが生じても上部ガイドフランジ５７と下部ガイドフランジ５８の先端に設けた面取りにより適正な位置に導かれ、取付作業が容易となる。
【００５８】
なお、本実施の形態ではホルダー５０に上部ガイドフランジ５７と下部ガイドフランジ５８を設けたもので説明したが、端子型ランプ４４のカバー部４９に一体でガイドフランジを設けてもよい。この場合、部品点数を低減でき、低コスト化が図れる。
【００５９】
また、本実施の形態では冷蔵室２６の天面に設けた場合で説明したが、冷蔵室に限定するものでなく、他の貯蔵室に適用しても、同様の作用効果を得ることができる。
【００６０】
【発明の効果】
以上説明したように請求項１に記載の発明は、冷凍サイクルに可燃性冷媒を用い、庫内天面に照明装置を有する冷蔵庫において、前記照明装置は庫内灯ランプとソケットを一体化し、リード線との接続部をピン差込方式とした端子型ランプとし、前記端子型ランプを支持するホルダーにガイドフランジを設け、前記ガイドフランジを挿入するガイドリブを庫内天面に設けたものであり、照明装置として端子型ランプを庫内天面に設けることで、接点にスパークが生じず可燃性冷媒を用いた場合の安全性を高めることができる。また、ガイドフランジとガイドリブを設けることで、端子型ランプを庫内天面にスムーズに組み込むことができ、組立作業性が向上する。
【００６１】
また、請求項２に記載の発明は、請求項１に記載の発明において、端子型ランプを支持するホルダーに設けるガイドフランジと庫内天面に設けるガイドリブを冷蔵庫の前後奥行方向に設けたものであり、水平方向に取付けることにより端子型ランプが鉛直方向へずれたり、落下を防止でき、不安全な状態が生じない。
【００６２】
また、請求項３に記載の発明は、請求項１または２に記載の発明において、庫内天面に設けるガイドリブを庫内冷却用天面ダクトに一体に設けたものであり、部品点数の低減、作業性の向上、庫内天面構造の簡素化を図れる。
【００６３】
また、請求項４に記載の発明は、請求項３に記載の発明において、庫内冷却用天面ダクトにリード線を通すための穴とリード線を上下方向に規制する押えリブを設け、端子型ランプとリード線の接続部は前記押えリブより上方に位置するものであり、リード線に付着した水滴はリード線を通すための穴部近傍で水切りされ、端子型ランプとリード線の接続部へ水滴は達せず、信頼性が高まる。
【００６４】
また、請求項５に記載の発明は、請求項１から請求項４のいずれか一項に記載の発明において、庫内天面に設けるガイドリブの前面に案内フランジを設けたものであり、端子型ランプの取付時、あるいは交換時、ガイドフランジの上下方向の挿入ばらつきが生じても案内フランジにより適正な位置に導かれ、取付作業が容易となる。
【００６５】
また、請求項６に記載の発明は、請求項１から請求項５のいずれか一項に記載の発明において、端子型ランプを支持するホルダーのガイドフランジが挿入されるガイドリブの前部左右に面取りを施したものであり、端子型ランプの取付時、あるいは交換時、ガイドフランジの左右方向の挿入ばらつきが生じてもガイドリブの前部左右に設けた面取りにより適正な位置に導かれ、取付作業が容易となる。
【００６６】
また、請求項７に記載の発明は、請求項１または２に記載の発明において、端子型ランプを支持するホルダーに上方を開口したＵ字状フランジを設け、前記端子型ランプを前記ホルダーの上方から前記Ｕ字状フランジに挿入、固定したものであり、端子型ランプが庫内天面に取付られた状態で端子型ランプがホルダーから外れ、下方に落下することがない。
【００６７】
また、請求項８に記載の発明は、請求項７に記載の発明において、Ｕ字状フランジ上部に係止ツメを設け、端子型ランプ挿入後に上方に外れないようにするとともに、ホルダーを取り外し可能に前記係止ツメと一体に着脱用フランジを設けたものであり、端子型ランプ交換のためホルダーから外す際、着脱用フランジを手で押すことで端子型ランプが係止ツメから解除され、端子型ランプの交換作業が容易にできる。
【００６８】
また、請求項９に記載の発明は、請求項１から請求項８のいずれか一項に記載の発明において、端子型ランプを支持するホルダーに固定用ツメを設け、前記固定用ツメで庫内天面に係止させるとともに、前記固定用ツメの係止を着脱自在に動作させるための着脱用取っ手を前記固定用ツメと一体に設けたものであり、端子型ランプ交換のためホルダーを庫内天面ガイドリブから外す際、着脱用取っ手を手で押すことでホルダーの固定用ツメがガイドリブから解除され、端子型ランプの交換作業が容易にできる。
【００６９】
また、請求項１０に記載の発明は、請求項９に記載の発明において、着脱用取っ手の上下方向に滑り止めリブを設けたものであり、着脱用取っ手をつかむ際、手元がすべることなく固定用ツメの解除動作が確実に容易にできる。
【００７０】
また、請求項１１に記載の発明は、請求項１から請求項１０のいずれか一項に記載の発明において、端子型ランプを支持するホルダーに設けるガイドフランジの先端に面取りを施したものであり、端子型ランプの取付時、あるいは交換時、ガイドフランジの挿入ばらつきが生じてもガイドフランジの先端に設けた面取りにより適正な位置に導かれ、取付作業が容易となる。
【図面の簡単な説明】
【図１】本発明の実施の形態１による冷蔵庫の側面断面図
【図２】図１のＡ部拡大図
【図３】同実施の形態の冷蔵庫の端子型ランプの斜視図
【図４】図３のＢ−Ｂ断面図
【図５】同実施の形態の冷蔵庫の端子型ランプの組立分解図
【図６】同実施の形態の冷蔵庫の庫内冷却用天面ダクトを裏から見た正面図
【図７】従来の冷蔵庫の照明装置の要部拡大断面図
【符号の説明】
２１　冷蔵庫
４３　冷蔵室内冷却用天面ダクト
４４　端子型ランプ
４６　ソケット
４７　庫内灯ランプ
４８　ピン
５０　ホルダー
５１　Ｕ字状フランジ
５２　係止ツメ
５３　着脱用フランジ
５４　固定用ツメ
５５　着脱用取っ手
５６　滑り止めリブ
５７　上部ガイドフランジ
５８　下部ガイドフランジ
５９　上部ガイドリブ
６０　下部ガイドリブ
６１　リード線
６２　穴
６３　押えリブ
６５　案内フランジ
【図１】
2004125217.tif 000003
【図２】
2004125217.tif 000004
【図３】
2004125217.tif 000005
【図４】
2004125217.tif 000006
【図５】
2004125217.tif 000007
【図６】
2004125217.tif 000008
【図７】
2004125217.tif 000009